(57)【要約】【課題】体内の空気を冷却するためのコンプレッサを備えた画像表示装置において、コンプレッサの騒音の影響を低減する。【解決手段】  表示部と、表示部を収容する筐体と、筐体内の空気を冷却するためのコンプレッサと、少なくともコンプレッサから発生する音を検出する検出部と、検出部で検出した音を打ち消すための音を出力する音出力部を備える。音出力部は、検出部で検出した音に対し、逆位相となる音を出力する。検出部としてのマイクは、例えば表示パネルの裏面下方の、コンプレッサの上側近傍に配置される。【選択図】図１
2011039153.tif 000002
【特許請求の範囲】
【請求項１】
表示部と、表示部を収容する筐体と、筐体内の空気を冷却するためのコンプレッサを備えた画像表示装置において、
少なくともコンプレッサから発生する音を検出する検出部と、
検出部で検出した音を打ち消すための音を出力する音出力部を備える画像表示装置。
【請求項２】
前記音出力部は、検出部で検出した音に対し、逆位相となる音を出力する、請求項１に記載の画像表示装置。
【発明の詳細な説明】
【技術分野】
【０００１】
本発明は、筐体内の空気を冷却するためのコンプレッサを備えた画像表示装置に関する。
【背景技術】
【０００２】
近年、デジタルサイネージと呼ばれる電子画像表示装置が普及し、案内板や広告塔などこれまでないさまざまな様式の電子画像表示装置が、屋内外を問わず、街中に設置されている（例えば特許文献１）。
【特許文献１】特開２００４−１５７４９９
【発明の開示】
【発明が解決しようとする課題】
【０００３】
出願人は、直射日光下で配置されるタイプの電子画像表示装置において、内部温度をコントロールするために、コンプレッサやエバポレータなどの冷却装置を内蔵することを検討している（例えば、特願２００８−１４５４４２）。表示に用いる液晶パネルは高温環境下では駆動性能が低下するからである。
【０００４】
しかしながら、冷却装置を内蔵すると人の声、音楽等の音声をかき消すような騒音が発生し、これにより、電子画像表示装置から出力される音声が聞き取りづらくなったり、周辺にいる人に不快感を与えたりする、という問題があることを実験的に確認することができた。本発明は、係る問題の解決を目的とする。
【課題を解決するための手段】
【０００５】
本発明は、表示部と、表示部を収容する筐体と、筐体内の空気を冷却するためのコンプレッサを備えた画像表示装置において、少なくともコンプレッサから発生する音を検出する検出部と、検出部で検出した音を打ち消すための音を出力する音出力部を備える。
【０００６】
音出力部は、検出部で検出した音に対し、逆位相となる音を出力するものでも良い。
【発明の効果】
【０００７】
本発明によれば、筐体内の空気を冷却するためのコンプレッサを備えた画像表示装置において、コンプレッサの騒音の影響を低減する画像表示装置を提供することができる。
【発明を実施するための最良の形態】
【０００８】
図１(a)は、本発明の実施例である電子画像表示装置の外観図（正面図）を、図１(b)は、断面図を示すものである。
【０００９】
電子画像表示装置は、表示部３、冷却装置９、ステレオ出力する一対のスピーカ５（５Ｌ、５Ｒ）、マイク１２、マイク１５、電子回路２０などを備えている。
【００１０】
表示パネル３は、画像を表示するものであり液晶パネルで構成される。本電子画像表示装置を屋外で配置すると直射日光により高温になる。そこで、本電子画像表示装置では、冷却装置９で冷却した冷気を表示パネル３の垂直方向に循環させる。具体的には、冷却装置９で冷却された空気は、まず液晶パネル前面を下から上に流れ、次に液晶パネル裏面を下から上に流れて再び冷却装置９に回収される。この循環経路内には図示しないファンが設けられており、これにより空気が循環する。
【００１１】
冷却装置９は、エバポレータ、コンプレッサ、コンデンサ等からなる。エバポレータは、循環経路を循環して冷却装置９に戻ってきた空気を冷却する。冷却された空気は再び循環経路へ送られる。コンプレッサは、エバポレータ内を流れる冷媒を圧縮する。コンデンサは、コンプレッサで圧縮された高温高圧の冷媒を冷却して液状の冷媒を生成する。この液状冷媒がエバポレータを流れることにより、エバポレータは冷却装置９の空気を冷却できるのである。
【００１２】
冷却装置９で使用される動力の多くは、冷媒を圧縮するコンプレッサの動力として用いられるのであるが、このコンプレッサは比較的大きな騒音を発生する。これにより、電子画像表示装置から出力される音声が聞き取りづらくなったり、周辺にいる人に不快感を与えたりする、という問題がある。
【００１３】
そこで、電子画像表示装置は、冷却装置９から発生する音を集音するためのマイク１２を備えている。このマイク１２は、人の声を集音する目的ではなく、冷却装置９から発生する音を集音することを目的とするので、外部から視認可能な位置ではなく、電子画像表示装置の内部に設けられる。例えば、図１（ｂ）のごとく、表示パネル３の裏面下方の、冷却装置９の上側近傍に配置される。或いは冷却装置９内のコンプレッサ近傍位置に配置しても良い。このようにマイク１２を、冷却装置９の近傍に配置すれば、マイク１２は、コンプレッサの発生音を主に収音することができる。これにより、後述する電子回路２０による音声信号処理が容易になる。
【００１４】
一方、マイク１５は、外部から視認可能な位置に設けられており、設置環境の音を集音したり、電子画像表示装置の視聴者の声を集音したりする。例えば、図１（ａ）のように表示パネル３の表示面の下側に配置される。あるいは、視聴者が音声を入力しやすくするよう、電子画像表示装置の本体から分離して設けられても良い。
【００１５】
電子回路２０は、映像出力回路、音声出力回路、システムコントローラ等からなる。また、電子回路２０は、コンプレッサから発生する音を解析して、これを打ち消すための音を生成する処理も実行する。具体的には、コンプレッサの発生音を主に収音するマイク１２が収音した音声信号の周波数と位相を解析して、この音声信号の位相を１８０度ずらせた信号を生成し、音声信号と、１８０度ずらせた信号とを加算することにより、冷却装置９から発生する音を打ち消す。また、電子回路２０は、液晶パネルを冷却するための循環経路の外側に配置される。電子回路２０を循環経路の外側に配置するのは、メンテナンスの容易性や、循環経路の短縮が目的である。
【００１６】
図２は、電子画像表示装置の機能ブロック図を示すものである。
【００１７】
外部映像音声再生機１から入力される映像信号と音声信号のうち、映像信号は、映像出力回路２を介して表示パネル３に表示される。音声信号は、音声出力回路４を介してスピーカ５に出力される。外部映像音声再生機１とは、例えば映像コンテンツを記憶する記憶装置である。或いは本電子画像表示装置とネットワークにより接続されたサーバである。
【００１８】
また、システムコントローラ７は、温度センサ６より得られた温度情報により温度が高ければ冷却装置９を動作させ電子画像表示装置内部の温度を制御する。
【００１９】
マイク１２は、冷却装置９から発生する騒音を集音する。集音された音声信号は、マイク用音声入力回路１０を介してシステムコントローラ７に送られる。システムコントローラ７は、騒音を解析し、騒音と逆位相の音信号を、消音スピーカ用音声出力回路１１を介して消音用スピーカ１３より出力させる。これにより、冷却装置９から発生した騒音と干渉させ消音を行う。
【００２０】
さらに消音確認用マイク１４で消音後の騒音を集音し、消音確認マイク用音声入力回路８を介してシステムコントローラ７に送られる。騒音が消音されていなかった場合、さらに消音確認マイク１４で検出された騒音と逆位相の音をさらに加算し消音用スピーカ１３より出力させ消音を行う。
【００２１】
図２における、映像出力回路２、音声出力回路４、システムコントローラ７、消音確認マイク用音声入力回路８、マイク用音声入力回路１０、消音スピーカ用音声出力回路１１が、図１で示すところの電子回路２０を構成する。
【００２２】
図２の消音確認用マイク１４の機能は、図１で示すマイク１５が兼ねるものであっても良い。この場合、システムコントローラ７は、消音確認マイク用音声入力回路８から入力される音声を解析し、この音声に冷却装置９から発生する騒音成分が含まれているかどうかを判断する。騒音成分が含まれていれば、消音スピーカ用音声出力回路１１は消音に適すると考えられる他の音を消音用スピーカ１３から発生させる。
【００２３】
消音用スピーカ１３の機能は、図１で示すスピーカ５が兼ねるものであっても良い。この場合、消音スピーカ用音声出力回路１１から出力された騒音と逆位相の音信号は一旦音声出力回路４へ入力され、外部映像音声再生機１から入力された音声信号と合成されてスピーカ５へ出力されるようにしても良い。
【００２４】
或いは、冷却装置９のコンプレッサの近傍位置に、コンプレッサを囲うように複数の消音用スピーカ１３を配置しても良い。或いは、スピーカ５の上下左右の位置にそれぞれ小型スピーカを配置し、これらを消音用スピーカ１３としても良い。
【００２５】
なお、電子画像表示装置内部の温度が十分に低い場合は、冷却装置９を駆動させる必要は無い。この場合、マイク１２、消音用スピーカ１３はＯＦＦにしておいても良い。
【００２６】
以上、実施例を用いて、本発明の例を説明した。なお、これらの実施例は特許請求の範囲に記載の発明を限定し、或は範囲を減縮する様に解すべきではなく、また、本発明の各部構成は上記実施例に限らず、特許請求の範囲に記載の技術的範囲内で種々の変形が可能であることは勿論である。
【図面の簡単な説明】
【００２７】
【図１】電子画像表示装置の構成を示す図である。（ａ）は外観正面図であり、（ｂ）は断面図である。
【図２】電子画像表示装置の機能ブロック図である。
【符号の説明】
【００２８】
３  表示パネル
５  スピーカ
９  冷却装置
１２  マイク
１５  マイク
２０  電子回路
【図１】
2011039153.tif 000003
【図２】
2011039153.tif 000004